(57)【要約】【課題】  振動により螺子の結合部分の緩みが発生し難い、水漏れが発生しないような水栓継手で、機構が簡単なため構成部品が少なくてすみ、安価に製造できるものを提供する。【解決手段】  水栓継手が、水栓に水栓先端に複数のボルト２を介して固定される筒状の水栓取付け部材１と、水栓径調節用リング５下部に嵌入されたパッキン１２と、上部に取付け部材１の下部に螺合される螺子とパッキンを保持するパッキン受け１１を下部にはニップル１０が嵌合される筒状部７ｃと筒状部に結合子１４を挿通する係止孔を有し通水孔を備えた筒状の水栓継手本体７と、水栓継手本体に嵌合する部分にＯリング１３を備え、結合子嵌合溝とホースの圧入部を有する通水孔を備えたニップル１０と、結合子１４とからなり、ニップル１０が水栓継手本体７に回動可能に嵌合され、結合子嵌合溝１０ｃに圧入した結合子１４によって係止されている。【選択図】      図５
2006307872.tif 000002
【特許請求の範囲】
【請求項１】
水栓先端に複数のボルトを介して固定される筒状の水栓取付け部材と、
該水栓取付け部材の下部に嵌入されたパッキンと、
上部には該取付け部材の下部に螺合される螺子と該パッキンを保持するパッキン受を有し、下部にはニップルが嵌合される筒状部と該筒状部に結合子を挿通する係止孔を有し、さらに中央部には通水孔を備えた筒状の水栓継手本体と、
通水孔を有し、一方端側にＯリングを備えて該水栓継手本体に嵌合する部分を、他方端側にホースの圧入部をそれぞれ備え、さらに中間部に結合子嵌合溝を備えたニップルと、
結合子と、からなり、
該ニップルが該水栓継手本体に回動可能に嵌合され、該結合子嵌合溝に圧入した該結合子によって係止されていることを特徴とする水栓継手。
【請求項２】
前記結合子が、弾性を有する合成樹脂材製のＵ字型ピンであることを特徴とする請求項１に記載の水栓継手。
【請求項３】
前記筒状部に設けた前記結合子を挿通する係止孔が、前記Ｕ字型ピンの先端を係止する２つの小孔と連結部係止孔とからなることを特徴とする請求項２に記載の水栓継手。
【請求項４】
前記圧入部には洗濯機のホースが取り付けられることを特徴とする請求項１〜３の何れかに記載の水栓継手。
【発明の詳細な説明】
【技術分野】
【０００１】
本発明は、水道の蛇口など所要の水栓にホースを取り付けるための水栓継手に関するものであり、例えば、全自動洗濯機の洗濯槽への給水のために、水道蛇口と給水用ホースを接続するのに適した水栓継手に係るものである。
【背景技術】
【０００２】
従来、この種の水栓継手としては、特許文献１に開示された図７乃至図９に示したものが知られている。これは家事等の給水用と洗濯機用に兼用されるものである。図に基づき説明すると、水栓継手は、蛇口などの水栓Ａに嵌着できる筒状の水栓取付け部材１０１、その取付け部材１０１の上部に設けた螺子孔１０３を介して放射状に螺合された所定数のボルト１０２、取付け部材１０１の下部の外周面に形成された雄螺子１０４、取付け部材１０１内に下方より遊嵌された水栓径調節用リング１０５ａを備え、水栓径調節用リング１０５ａ上部周壁にはボルト１０２をそれぞれ嵌め合わせる所定数の切欠き部１０６ａが上向きに形成されている。
【０００３】
継手本体１０７ａは、取付け部材１０１の下部に形成された雄螺子１０４に螺合される雌螺子１０８が、内周面に形成された短い底のある筒状である。継手本体１０７ａの底部には、通水口１０９が形成されている。継手本体１０７ａの下端には継手本体１０７ａと一体に小径筒状のプラグ１１０が形成されていて、その孔は通水口１０９に連通している。継手本体１０７ａの底部内面からは環状のパッキン受け１１１ａが上方に向かって突設していて、パッキン受け１１１ａ上に、肉厚の環状パッキン１１２が保持される。
【０００４】
上述の構成部品は、図１０に示すように、水栓Ａに水栓径調節用リング１０５ａを介して水栓取付け部材１０１を外嵌せしめ、ボルト１０２を内方にねじ込んで固定する。取付け部材１０１の下部の雄螺子１０４に、継手本体１０７ａの雌螺子１０８を螺合させて、取付け部材１０１に継手本体１０７ａを取り付けて固定する。環状パッキン１１２は、水栓Ａの先端に圧接され水密に保持する。その上で、プラグ１１０に洗濯機用ホースなどが取り付けられたソケットを取り付けて使用する。
【０００５】
次に、上記のような水栓継手に取り付けられるソケット１３０を図１１を参照して説明する。
水栓継手に取り付けられるソケット１３０は、一方に継手接続部１３１ａを形成し、他方にホース接続部１３１ｂを形成した筒状の本体１３１と、本体１３１の外周面の一部を覆うように取り付けられ、取り付け用のレバー１３３を備えるスライダ１３２と、本体１３１のスライダ１３２に覆われた位置に設けられた小穴に設けられた小球１３４と、本体１３１とスライダ１３２とをスライド自在に付勢するばね１３５と、水栓継手とソケット１３０とを水密に保持するジョイントパッキン１３６と、からなる。このソケット１３０を例えば下記特許文献１に開示された水栓継手に接続する際には、プラグ１１０を継手接続部１３１ａに嵌合させた状態で圧入し、これにより小球１３４を継手の窪み１１３に咬合させて固定する。このときソケット１３０のホース接続部１３１ｂには洗濯機等のホースが接続されており、これにより洗濯機等の機器に水を供給できるようになる。
【０００６】
また、下記特許文献２には、水道蛇口として螺子なし、螺子ありの２種類の水栓に対応できる洗濯機専用の水栓継手が示されている。すなわち、螺子なしの水栓１２５に対しては、図１２に示したように、水栓１２５にボルト１２６で取り付けたソケット１２２の小径筒部外周螺子１２２ａにストッパーリング１２７を介してナット部材１２８によりニップル１２３を固定し、ソケット１２２の大径筒部にシールリング１２４を装着することにより、水栓１２５とニップル１２３に差し込んだ給水ホースを連結する。一方、螺子ありの水栓に対しては、ナット部材１２８によりニップル１２３を直接吐き出し管の螺子部に固定し、ニップルの筒状本体部延長部外周にシールリング１２４を装着して水栓と給水ホースを連結する。こうして一つの水栓継手によりいずれの種類の水栓にも対応可能にするものであった。
【特許文献１】特許２９０６１３７号公報（図６〜図９、段落［０００２］、［０００３］）
【特許文献２】特開平９−２６４４７１号公報（図２、段落［００１９］、［００２２］）
【発明の開示】
【発明が解決しようとする課題】
【０００７】
上記特許文献１の従来例においては、プラグ１１０に嵌合される別部材としてのソケット１３０にホースが取り付けられ、水栓が多用途に利用できるように水栓取付け部（すなわち水栓継手）とホース取付け部（すなわちソケット１３０）の脱着が容易になっていた。しかしながら、近年家庭用に普及している全自動洗濯機にこのような水栓継手を取り付ける場合においては、洗濯機が使用されると水圧変動によるホースの振動や洗濯機の振動がそのまま継手本体に伝わり、前記のプラグ１１０とソケット１３０の嵌合部から水漏れが多発したり、長期間の使用を行ううちに、振動により水栓取付け部材１０１と継手本体１０７ａとの螺合部に緩みが生じ、水漏れが発生するという問題があった。また、近年においては洗濯機が家庭の必需品として専用の水栓に取り付け設置されるようになってホースの脱着の必要性もなくなり、かかる従来方式はコスト面でも余分な部材を要するため不利であった。
【０００８】
また、上記特許文献２の洗濯機専用水栓継手も、ホースからの振動により、水栓とニップルとの結合部分であるソケット１２２とナット部材１２８との螺合部、あるいは、吐き出し管の螺子部とナット部材１２８との螺合部に緩みが生じて、水漏れが発生してしまうおそれがあった。特に自動洗濯機に使用する場合においては、振動が水栓継手に伝わり緩みが発生し易いという欠点があった。
【０００９】
本願の発明者は、前記の問題点を解消すべく種々検討を行った結果、ホース接続部と蛇口接続部の構造に着目して、ホース接続部と蛇口接続部を分離し、ホースを取り付けたときにホース接続部が自由に回転動作できるように設けること及び両接続部の固定手段に螺子を使用しないことによって、この問題を解決できることを見出し、本発明を完成するに至ったものである。
【００１０】
すなわち、本発明は、振動により螺子の結合部分が緩むことがなく、水漏れが発生しないような水栓継手、特に振動の激しい自動洗濯機に適した振動が水栓継手に伝わっても緩みが発生し難い水栓継手を提供することを目的とするものである。
【００１１】
また本発明は、機構が簡単なため構成部品が少なくてすみ、安価に製造できる水栓継手を提供することを目的とするものである。
【課題を解決するための手段】
【００１２】
前記課題を解決するために、本願の請求項１に係る発明は、水栓先端に複数のボルトを介して固定される筒状の水栓取付け部材と、
該水栓取付け部材の下部に嵌入されたパッキンと、
上部には該取付け部材の下部に螺合される螺子と該パッキンを保持するパッキン受を有し、下部にはニップルが嵌合される筒状部と該筒状部に結合子を挿通する係止孔を有し、さらに中央部には通水孔を備えた筒状の水栓継手本体と、
通水孔を有し、一方端側にＯリングを備えて該水栓継手本体に嵌合する部分を、他方端側にホースの圧入部をそれぞれ備え、さらに中間部に結合子嵌合溝を備えたニップルと、
結合子と、からなり、
該ニップルが該水栓継手本体に回動可能に嵌合され、該結合子嵌合溝に圧入した該結合子によって係止されていることを特徴とする。
【００１３】
また、本願の請求項２に係る発明は、請求項１に記載の水栓継手において、前記結合子が、弾性を有する合成樹脂材製のＵ字型ピンであることを特徴とする。
【００１４】
また、本願の請求項３に係る発明は、請求項２に記載の水栓継手において、前記筒状部に設けた前記結合子を挿通する係止孔が、前記Ｕ字型ピンの先端を係止する２つの小孔と連結部係止孔とからなることを特徴とする。
【００１５】
また、本願の請求項４に係る発明は、請求項１〜３の何れかに記載の水栓継手において、前記圧入部には洗濯機のホースが取り付けられることを特徴とする。
【発明の効果】
【００１６】
請求項１に係る発明によれば、筒状の水栓継手本体とニップルの結合が螺子ではなく、結合子により行なわれ、これによりニップルは回動自由に継手本体に結合されているので、振動により水栓継手本体とニップルとの結合部分が緩むことがなく水漏れが発生しない。特に、振動の激しい自動洗濯機などに使用しても、その振動が水栓継手に伝わって緩みが発生し難い水栓継手を提供できる。また、機構が簡単なため構成部品が少なくてすみ、水栓継手を安価に製造できる。
【００１７】
また、本願の請求項２に係る発明によれば、結合子が、弾性を有する合成樹脂材のＵ字型ピンであることにより、製造も容易で安価であり、組み込みの効率もあげることができる。
【００１８】
また、本願の請求項３に係る発明によれば、筒状部に設けた結合子を挿通する係止孔が、Ｕ字型ピンの先端を係止する２つの小孔と連結部係止孔とからなることにより、Ｕ字型ピンを連結部係止孔から押し込み、先端部を２つの小穴に挿入することにより容易にかつ確実にニップルを係止することができ、ニップルは回動可能でありながら脱落することがないように係止することができる。
【００１９】
また、本願の請求項４に係る発明によれば、この水栓継手は請求項１〜３の効果を備えることにより、洗濯機に使用した場合であっても振動による緩みが発生し難く、水漏れ等を起こすことのない良好な使用を実現できる。
【発明を実施するための最良の形態】
【００２０】
以下、本発明に係る水栓継手について、具体的実施例を添付の図面を参照して詳細に説明する。ただし、以下に示す実施例は本発明の技術思想を具体化するための水栓継手を例示するものであって、本発明をこの水栓継手に特定することを意図するものではなく、特許請求範囲に含まれるその他のものにも等しく適用し得るものである。
【実施例１】
【００２１】
図１は本発明の一実施例に係る水栓継手の水栓取付け部材を示し、図１（Ａ）は平面図、図１（Ｂ）は図１（Ａ）のＡ−Ａ断面図、図２は水栓継手本体を示し、図２（Ａ）は一部を断面とした正面図、図２（Ｂ）は図２（Ａ）のＢ−Ｂ断面図、図３は水栓継手本体とニップルと結合子の組み立て断面図、図４は結合子を示し、図４（Ａ）は平面図、図４（Ｂ）は正面図、図５はこれらの構成部材からなる水栓継手の主要部の分解斜視図、図６は図５の構成部材の組み立て斜視図である。
【００２２】
水栓継手は、主に水栓取付け部材１と水栓継手本体７とニップル１０と結合子１４とから構成され、図１に示すように、水栓取付け部材１によって図示しない蛇口などの水栓に嵌められボルト２で止着自在とされる。水栓取付け部材１は筒状であり、水栓に止着できるように水栓取付け部材１の上部には螺子孔３を介して放射状に螺合された所定数のボルト２を備え、水栓取付け部材１の下部にはその外周面に雄螺子４が形成されている。水栓取付け部材１内には、下方より遊嵌された水栓径調節用リング５を備え、水栓径調節用リング５上部周壁にはボルト２をそれぞれ嵌め合わせる所定数の切欠き部６が上向きに形成されている。また水栓取付け部材１の筒内には前記水栓径調節用リング５の下部に肉厚の環状パッキン１２が嵌入され保持されている。なお、水栓径調整用リング５は水栓先端部のセンターリングに役立つが使用しなくても本発明は実施できる。とくに水栓先端の外径が大きい場合は水栓径調整用リング５を取り外して取り付けを行う。
【００２３】
継手本体７は、図２（Ａ）及び図２（Ｂ）に示すように、水栓取付け部材１の下部外周面に形成された雄螺子４に螺合される雌螺子８が内周面に形成された、内部中間に底７ｂを有する短い筒状体である。継手本体７の中間部に形成された底７ｂには、通水口９が形成されている。また、継手本体７の下部は、継手本体７よりも小径筒状のニップル１０が挿入できるように筒状に形成されていて、その下部筒状部７ｃは通水口９に連通している。継手本体７の中間にある底７ｂからは通水口９を形成する環状のパッキン受け１１が上方に向かって突設されていて、パッキン受け１１上にパッキン１２（図１参照）が保持される。継手本体７は、水栓取付け部材１の下部にその上部筒状部７ａが螺合され、パッキン１２を保持するとともに下部は通水孔９を備えたニップル１０が嵌合される下部筒状部７ｃとなり、下部筒状部７ｃには、図２（Ａ）のＢ−Ｂ断面図である図２（Ｂ）に示したように、結合子１４の連結部１４ａを挿通するための連結部係止孔７ｄ及び結合子１４の先端部１４ｂを軽視するための先端部係止孔７ｅを有する。
【００２４】
ニップル１０は、図３に示したように、継手本体７の下部に嵌合する部分を備え、その表面に所定の凹凸形状を有するように成形された筒状体である。このニップル１０において継手本体７のパッキン受け１１に嵌合する上部には周囲に溝１０ａが設けられ、その溝にＯリング１３を備えており、ニップル１０が継手本体７に嵌合されると両者間は水密に保たれるようになる。ニップル１０は、その中間部１０ｂが継手本体７の下部筒状部７ｃに嵌合され、結合子嵌合溝１０ｃが設けてあり、結合子１４がこの溝１０ｃと連結部係止孔７ｄ及び先端部係止孔７ｅに嵌め込まれる。ニップル１０の下部は小径のホース圧入部１０ｄを形成し、ホースが抜けにくいようにその表面に凹凸が設けられている。また、ニップル１０の軸方向には、通水孔１０ｅが貫通している。
【００２５】
本実施例に係る水栓継手は、下部にニップル１０が嵌合される下部筒状部７ｃを有する水栓継手本体７と、水栓継手本体７に嵌合する部分にＯリング１３を備え結合子嵌合溝１０ｃとホースの圧入部１０ｄを有するニップル１０とが、継手本体７の下部筒状部７ｃにニップル１０を挿入したのちに、結合子１４を下部筒状部７ｃに設けた係止孔７ｄ、７ｅに圧入し挿通することによって結合される。ニップル１０は、結合子嵌合溝１０ｃに嵌合する結合子１４によって水栓継手本体７に回動可能に係止される。
【００２６】
結合子１４は、ニップル１０を継手本体７に回動可能に嵌合するもので、結合子嵌合溝１０ｃに圧入して係止され、ニップル１０が回動可能でありながら継手本体７に強固に結合するものである。結合子１４は、図４に示すような、弾性を有する合成樹脂材製のＵ字型ピンであって、結合子連結部１４ａから分岐した脚を有し、この脚の先端部に形成された結合子先端部１４ｂは先端部係止孔７ｅに係止される鉤状の係止爪を備えている。下部筒状部７ｃに設けた結合子１４を挿通する各係止孔７ｄ、７ｅは、Ｕ字型ピンの先端を係止する２つの先端部係止孔７ｅとＵ字型ピンの連結部係止孔７ｄとからなり、Ｕ字型ピンは連結部係止孔７ｄから挿入されると、ニップル１０を結合子嵌合溝１０ｃの部分においてはさみ、先端を絞るように２つの先端部係止孔７ｅに挿入されて係止する。したがって、容易に着脱を行うことができ、しかも緩んだり外れたりするおそれがない。
【００２７】
継手本体７、ニップル１０及び結合子１４を各構成部材に分解した状態の斜視図を図５に、また結合した状態の斜視図を図６に示しておく。
【００２８】
本実施例の水栓継手の使用態様は、水栓に水栓径調節用リング５を介して、水栓取付け部材１を外嵌せしめ、四方に設けられたボルト２を内方にねじ込んで把持固定する。そして水栓取付け部材１の下部の雄螺子４にニップル１０を取り付けた継手本体７を、雌螺子８を螺合させて固定する。このとき、環状パッキン１２は、水栓先端に圧接され水密に保持する。そして、ニップル１０に洗濯機用ホースなどのホースを取り付けることにより水栓とホースとを接続する。
【００２９】
この水栓継手においては、パッキン１２が、継手本体７内に形成されたパッキン受け１１を介して保持されることによって、パッキン１２を適性位置に保持でき、かつパッキン受け１１は継手本体７と一体に樹脂成形で形成されているので、本体の部品点数も少なく好ましい。
【００３０】
以上に示した実施例のような水栓継手を使用すれば、螺合部のゆるみが生じ難く漏水を防ぐことができ、構成が簡単で安価である。
【図面の簡単な説明】
【００３１】
【図１】図１は本発明の一実施例に係る水栓継手の水栓取付け部材を示し、図１（Ａ）は平面図、図１（Ｂ）は図１（Ａ）のＡ−Ａ断面図である。
【図２】図２は水栓継手本体を示し、図２（Ａ）は一部を断面とした正面図、図２（Ｂ）は図２（Ａ）のＢ−Ｂ断面図である。
【図３】図３は水栓継手本体とニップルと結合子の組み立て断面図である。
【図４】図４は結合子を示し、図４（Ａ）は平面図、図４（Ｂ）は正面図である。
【図５】図５はこれらの構成部材からなる水栓継手の主要部の分解斜視図である。
【図６】図６は図５の構成部材の組み立て斜視図である。
【図７】図７は従来例を示す分解斜視図である。
【図８】図８は従来例を示す平面図である。
【図９】図９は従来例を垂直断面図である。
【図１０】図１０は従来例の使用状態を示す垂直断面図である。
【図１１】図１１は従来例の水栓用継手に取り付けられるソケットを示す一部が断面とした正面図である。
【図１２】図１２は別の従来例の使用状態を示す一部断面図である。
【符号の説明】
【００３２】
１      水栓取付け部材
２      ボルト
３      螺子孔
４      雄螺子
５      水栓径調節用リング
６      切欠き部
７      継手本体
７ａ    上部筒状部
７ｂ    底
７ｃ    下部筒状部
７ｄ    連結部係止孔
７ｅ    先端部係止孔
８      雌螺子
９      通水口
１０    ニップル
１０ａ  溝
１０ｂ  中間部
１０ｃ  結合子嵌合溝
１０ｄ  ホース圧入部
１０ｅ  通水孔
１１    パッキン受け
１２    パッキン
１３    Ｏリング
１４    結合子
【図１】
2006307872.tif 000003
【図２】
2006307872.tif 000004
【図３】
2006307872.tif 000005
【図４】
2006307872.tif 000006
【図５】
2006307872.tif 000007
【図６】
2006307872.tif 000008
【図７】
2006307872.tif 000009
【図８】
2006307872.tif 000010
【図９】
2006307872.tif 000011
【図１０】
2006307872.tif 000012
【図１１】
2006307872.tif 000013
【図１２】
2006307872.tif 000014